(57)【特許請求の範囲】
【請求項１】
建物の１階から上階への吹き抜け部に配置される中間ステージ構造であって、建物の構造躯体から独立して１階の床上に配置される支持部と、該支持部に支持され、建物の構造躯体から独立したステージ部と、該ステージ部から下階に延長する下階段及び／または該ステージ部から上階に延長する上階段を備えていることを特徴とする中間ステージ構造。
【請求項２】
前記ステージ部の下側が室空間になっていることを特徴とする請求項１に記載の中間ステージ構造。
【請求項３】
前記ステージ部の下側の室空間が半地下に配置されることを特徴とする請求項２に記載の中間ステージ構造。
【発明の詳細な説明】
【０００１】
【発明の属する技術分野】
本発明は、建物の１階から上階への吹き抜け部に配置される中間ステージ構造に関するものである。
【０００２】
【従来の技術】
従来の中低層住宅における中間ステージ（以下、「スキップフロア」という）構造は建物の構造躯体の一部として設計されるのが一般であり、その構造の一例を図３を用いて説明する。図３はスキップフロアの構造の一例を示す模式図である。
【０００３】
図３において、スキップフロアＳは建物の普通の１、２階の柱51よりも短い柱52と、該スキップフロアＳの梁53を中間部で支持すると共に普通の１、２階の柱51と同じ長さを有する柱54とにより支持され、該スキップフロアＳの梁53の上部に普通の１、２階の柱51よりも長い柱55を配置してこの柱55と普通の２階の柱51とにより普通の２階の梁56が支持されて建物の構造躯体の一部を構成する。
【０００４】
また、柱52，55の夫々の間には建物の構造躯体の耐震性能を確保するためのブレース57，58が取り付けられ、スキップフロアＳと建物の普通の１、２階の床との間に夫々図示しない階段が取り付けられる。
【０００５】
【発明が解決しようとする課題】
しかしながら、前述の従来例では、スキップフロアＳの梁53及び該梁53を支持する柱52，54、普通の２階の梁56を支持する柱55及びスキップフロアＳと普通の１、２階の床との間に設けられる階段が建物の構造躯体の一部として設計されるため構造計算が複雑であり、使用される構造部材の形状が制限されたり強度を確保するために部品点数が増大し、施工に手間がかかって工期が長くなるという問題がある。
【０００６】
また、長さの異なる柱51，52，55や梁53を中間で支持する柱54が必要となるので使用する柱の種類が増大し、これに伴って長さの異なるブレース57，58が必要となるので使用するブレースの種類も増大する。また、柱52，55の長さに合わせた外壁材や、内装の下地材或いは窓枠が必要となるのでこれ等の種類も増大する。また、スキップフロアＳの床上げレベルを数種類設定すれば、更に上記の各部材の種類が増大して製造及び管理コストがかかるという問題がある。
【０００７】
また、最近では生活環境をより豊かにするために採光が良く、通風の良い居住スペースのニーズが高まっており、天井が高く大きな窓のある広い居住スペースの確保が望まれている。
【０００８】
本発明は前記課題を解決するものであり、その目的とするところは、天井が高く大きな窓のある広い居住スペースを確保するために建物の１階から上階への吹き抜け部に配置される中間ステージ構造に着目し、建物の構造躯体から独立してステージ部を設けることで建物の構造計算が簡単で使用される構造部材の形状の自由度が増し、部品点数及び部品の種類を削減して施工が容易な中間ステージ構造を提供せんとするものである。
【０００９】
【課題を解決するための手段】
前記目的を達成するための本発明に係る中間ステージ構造は、建物の１階から上階への吹き抜け部に配置される中間ステージ構造であって、建物の構造躯体から独立して１階の床上に配置される支持部と、該支持部に支持され、建物の構造躯体から独立したステージ部と、該ステージ部から下階に延長する下階段及び／または該ステージ部から上階に延長する上階段を備えていることを特徴とする。
【００１０】
本発明は、上述の如く構成したので、建物の構造躯体から独立して１階の床上に配置された支持部によりステージ部が支持されるので中間ステージ構造を建物の構造計算に算入する必要がなく構造設計が簡単に出来る。
【００１１】
また、ステージ部を建物の構造躯体となる普通階の柱や梁で支持する必要がないので普通階の柱や梁の種類が低減出来ると共に使用される構造部材の部品点数を削減して施工が容易に出来、該構造部材の形状の自由度を増大することが出来る。また、普通階の梁や柱の種類に関係なくステージ部のレベル高さを自由に設定出来る。
【００１２】
また、ステージ部から下階に延長する下階段及び／または該ステージ部から上階に延長する上階段を備えたことでステージ部への昇り降りが上下階段或いは梯子により容易に出来る。
【００１３】
また、前記ステージ部の下側を室空間として構成した場合には、該ステージ部の下側スペースを居住空間や収納スペース或いは機械室等として有効利用することが出来る。
【００１４】
また、前記ステージ部の下側の室空間を半地下に配置した場合には地面を少し掘るだけでステージ部の下側の室空間を居住空間や収納スペース或いは機械室等として有効利用することが出来る。
【００１５】
【発明の実施の形態】
図により本発明に係る中間ステージ構造の一実施形態を具体的に説明する。図１は本発明に係る中間ステージ構造を有する２階建て住宅の一例を示す断面説明図、図２は本発明に係る中間ステージ構造の周辺の構成を示す斜視図である。
【００１６】
本発明に係る中間ステージ構造は建物の１階から上階への吹き抜け部に配置されるものであり、本実施形態では特に中低層住宅に好適な中間ステージ（以下、「スキップフロア」という）構造について説明する。
【００１７】
図１において、Ａは住宅の１階部分、Ｂは２階部分、Ｃは屋上部分、Ｄは地階部分を夫々示す。１は地面２上に設けられた床であり、３は１階と２階との間の梁、４は屋上の梁である。この住宅の構造躯体は上記床１、普通階の梁３，４及び図示しない普通階の柱等により構成され、これ等の部材に基づいて構造計算が行われる。
【００１８】
図１の住宅の右側部は地階部分Ｄから屋上部分Ｃに亘って吹き抜け部Ｅとして構成されており、その天井屋根部５には天窓６が設けられている。また吹き抜け部Ｅの図１の右側の外壁部７には開口部（窓）８が設けられている。
【００１９】
上記地階部分Ｄから３階部分Ｃに亘って設けられた吹き抜け部Ｅは天井が高く天井屋根部５に設けられた天窓６や外壁部７に設けられた開口部（窓）８により大きな窓のある広い居住スペースを確保することが出来るものであり、これにより、採光が良く、通風の良い居住スペースのニーズに対応して生活環境をより豊かにすることが出来る住宅を提供するものである。
【００２０】
前記吹き抜け部Ｅの１階部分Ａに中２階となるスキップフロアＳが配置されている。スキップフロアＳは建物の柱や梁等からなる構造躯体から独立してスキップフロアＳの下階となる地階部分Ｄの床９上に配置される支持部となる柱10と、該柱10に支持されたステージ部11を有しており、更に該ステージ部11にはステージ部11から下階となる１階部分Ａに延長する下階段12と、該ステージ部11から上階となる２階部分Ｂに延長する上階段13を備えて構成されている。
【００２１】
上階段13は２階部分Ｂの廊下や部屋の入口部分等の床に固定され、下階段12も同様に１階部分Ａの廊下や部屋の入口部分等の床に固定されている。尚、上下階段13，12は１、２階部分Ａ，Ｂの床に固定しなくても床に載置されるか若しくは所定間隔浮いている梯子であっても良い。
【００２２】
スキップフロアＳのステージ部11のレベル高さは柱10の高さ及び上下階段13，12の段数を調節することで容易に調整することが出来るので普通階の梁や柱の種類に関係なくステージ部11のレベル高さを自由に設定出来、有利である。
【００２３】
また、スキップフロアＳのステージ部11が柱10により支持されるのみで住宅の構造躯体から独立した構造であるので住宅本体に荷重をかけないため中間ステージとなるスキップフロアＳの構造を建物の構造計算に算入する必要がなく構造設計が簡単に出来、有利である。
【００２４】
また、ステージ部11を建物の構造躯体である普通階の柱や梁で支持する必要がないので普通階の柱や梁の種類が低減出来ると共に使用される構造部材の部品点数を削減して施工が容易に出来、該構造部材の形状の自由度を増大することが出来る。
【００２５】
また、ステージ部11から下階に延長する下階段12及び該ステージ部11から上階に延長する上階段13を備えたことでステージ部11への昇り降りが上下階段13，12により容易に出来る。また、ステージ部11からの階段は下階段12或いは上階段13のみからなる場合でも良く、夫々梯子により構成しても良い。
【００２６】
本実施形態では、ステージ部11は少なくとも子供が遊ぶことの出来る広さを有すると共に間仕切りやドアなしで上下階段13，12に連絡出来るようになっている。
【００２７】
また、ステージ部11及び柱10等は各部品を室内に搬入して組み立てることが出来るようになっており、住宅が出来上がった状態であってもスキップフロアＳを容易に構築することが出来るものである。
【００２８】
また、ステージ部11の下側には半地下に配置された室空間14が設けられており、１階部分Ａの廊下や部屋の入口部分等の床から室空間14の地階部分Ｄの床９に地下階段15が連絡している。
【００２９】
このように、ステージ部11の下側を室空間14として構成したことで該室空間14を居住空間や収納スペース或いは機械室等として有効利用することが出来る。
【００３０】
また、ステージ部11の下階が１階であり、該ステージ部11の下側の室空間14を半地下に配置した場合には地面２を少し掘るだけでステージ部11の下側の室空間14を居住空間や収納スペース或いは機械室等として有効利用することが出来るので好ましい。
【００３１】
尚、前記実施形態では、スキップフロアＳを建物の構造躯体外に設けた場合について説明したが、建物の構造躯体内に設けることも可能である。また、住宅以外のオフィス等の建物にも適宜適用出来るものである。
【００３２】
【発明の効果】
本発明は、上述の如き構成と作用とを有するので、建物の構造躯体から独立してステージ部を設けることで建物の構造計算が簡単で使用される構造部材の形状の自由度が増し、部品点数及び部品の種類を削減して施工が容易な中間ステージ構造を提供することが出来る。
【００３３】
即ち、建物の構造躯体から独立して１階の床上に配置された支持部にステージ部が支持されるので中間ステージ構造を建物の構造計算に算入する必要がなく構造設計が簡単に出来る。
【００３４】
また、ステージ部を建物の構造躯体である普通階の柱や梁で支持する必要がないので普通階の柱や梁の種類が低減出来ると共に使用される構造部材の部品点数を削減して施工が容易に出来、該構造部材の形状の自由度を増大することが出来る。また、普通階の梁や柱の種類に関係なくステージ部のレベル高さを自由に設定出来る。
【００３５】
また、ステージ部から下階に延長する下階段及び／または該ステージ部から上階に延長する上階段を備えたことでステージ部への昇り降りが上下階段或いは梯子により容易に出来る。
【００３６】
また、ステージ部の下側を室空間として構成した場合には、該ステージ部の下側スペースを居住空間や収納スペース或いは機械室等として有効利用することが出来る。
【００３７】
また、ステージ部の下側の室空間を半地下に配置した場合には地面を少し掘るだけでステージ部の下側の室空間を居住空間や収納スペース或いは機械室等として有効利用することが出来る。
【図面の簡単な説明】
【図１】  本発明に係る中間ステージ構造を有する２階建て住宅の一例を示す断面説明図である。
【図２】  本発明に係る中間ステージ構造の周辺の構成を示す斜視図である。
【図３】  従来例の課題を説明する図である。
【符号の説明】
Ａ…１階部分
Ｂ…２階部分
Ｃ…屋上部分
Ｄ…地階部分
Ｅ…吹き抜け部
Ｓ…スキップフロア
１…床
２…地面
３，４…梁
５…天井屋根部
６…天窓
７…外壁部
８…開口部
９…床
10…柱
11…ステージ部
12…下階段
13…上階段
14…室空間
15…地下階段
【図１】
0003957390.tif 000002
【図２】
0003957390.tif 000003
【図３】
0003957390.tif 000004